(57)【要約】【課題】蔓性植物が電柱支線の上方まで巻き上がらないようにするだけでなく、極めて簡便に固定し、しかも、外れることがないようにした電柱支線用の蔓性植物巻上がり防止具を提供する。【解決手段】本発明の電柱支線用の蔓性植物巻上がり防止具は、電柱３と地面との間で斜め向きに架設された電柱支線１に取り付けられ、電柱支線１の下側部分又は中間部分に螺旋状に巻き付けられる固定部１１と、該固定部１１の上端から鉛直姿勢ないしほぼ鉛直姿勢に上向きに方向転換される誘導部１２とが、線条体１０によって連続して設けられている。さらに、前記線条体１０には、電柱支線１から離間する方向に向けられる案内部１３が前記誘導部１２の先端に連続して設けられている。【選択図】図２
2009065774.tif 000002
【特許請求の範囲】
【請求項１】
電柱と地面との間で斜め向きに架設された電柱支線に取り付けられる電柱支線用の蔓性植物巻上がり防止具であって、
電柱支線の下側部分又は中間部分に固定される固定部と、該固定部の上端から鉛直姿勢ないしほぼ鉛直姿勢に上向きに方向転換される誘導部とが、線条体によって連続して設けられていることを特徴とする電柱支線用の蔓性植物巻上がり防止具。
【請求項２】
前記線条体には、電柱支線から離間する方向に向けられる案内部が前記誘導部の先端に連続して設けられていることを特徴とする請求項１に記載の電柱用の電柱支線用の蔓性植物巻上がり防止具。
【請求項３】
前記線条体は、固定部が電柱支線に螺旋状に巻き付けられて固定されていることを特徴とする請求項１又は２に記載の電柱支線用の蔓性植物巻上がり防止具。
【請求項４】
前記線条体は、撚り線からなることを特徴とする請求項１から３のいずれか１項に記載の電柱支線用の蔓性植物巻上がり防止具。
【請求項５】
前記線条体は、電柱支線に使用されている鋼撚り線巻付きグリップであることを特徴とする請求項１から４のいずれか１項に記載の電柱支線用の蔓性植物巻上がり防止具。
【発明の詳細な説明】
【技術分野】
【０００１】
本発明は、電柱と地面との間に架設された電柱支線に葛（かずら）、蔦（つた）その他の蔓（つる）性植物（以下、主として「かずら」として説明する。）が巻き上がらないようにするための電柱支線用の蔓性植物巻上がり防止具に関する。
【背景技術】
【０００２】
電柱が傾倒しないようにするための電柱支線は、電柱の上端部と地面との間で斜め向きに架設される。電柱が山野に設置されると、地面に生い茂っているかずらが電柱支線を巻き上がる。このかずらが電柱の上端部に張られた電線に到達すると、地絡によって停電事故を起こす。また、かずらが電柱の上端部に設置されたトランスを覆った状態で、冬季になって枯れると、火災事故を起こすことがある。
【０００３】
このため、かずらが電柱支線を巻き上がらないようにするための電柱支線用のかずら巻上がり防止具が各種提供されている。例えば、特許文献１に開示された支線への葛の巻上がり防止具は、図６に示すように、電柱支線１を同心に囲む円筒部分１１１と、この円筒部分１１１の両端部を塞ぎ、電柱支線１を挿通する孔を形成した蓋部分１１２とからなる巻上がり防止具１１０を備えている。この巻上がり防止具１１０の下端部は、電柱支線１に固定される固定金具１１３によって支持される。そして、この巻上がり防止具１１０は、円筒部分１１１の直径が１３０ｍｍ以上、円筒部分１１１の鉛直面への投影長さＬが７００ｍｍ以上とされることによって、かずらが電柱支線１を巻き上がれないようにされている。
【０００４】
しかし、この支線への葛の巻上がり防止具１１０は、円筒部分１１１が陥没するなど変形しやすいだけでなく、固定具も必要であり、部品点数が多いことから、製造コストがアップし、さらに、組付け作業性が悪いものとなっている。そこで、変形しないだけでなく、製造コストをダウンし、しかも容易に組み付けることができるようにした電柱支線用かずら巻防止具が特許文献２に開示されている。
【０００５】
この電柱支線用かずら巻防止具は、図７に示すように、わずかに末広がりに対向する一対の板羽１２１，１２１と、電柱支線１に装着される支線装着用筒１２２とを一体に構成したものである。支線装着用筒１２２が板羽１２１，１２１と接続される部分には、電柱支線１が通過しない幅の開閉部が設けられている。この開閉部は、電柱支線１を通すときに押し広げられ、弾力によってほぼ閉じた状態とされることにより、電柱支線１から抜けないように装着される。そして、電柱支線１には、支線装着用筒１２２の下端が位置する部分に電柱支線用かずら巻防止具がズレ落ちないようにするためのストッパー１２３が固定されている。
【０００６】
この電柱支線用かずら巻防止具は、電柱支線１への装着作業を効率的に行うことができ、板羽１２１，１２１が風圧を受けて電柱支線１を回転軸として揺動し、地面Ｇに生い茂っているかずらＫが巻き上がろうとしても、そのかずらＫを振り落とす。また、この電柱支線用かずら巻防止具は、板羽１２１，１２１が中空構造でないため、変形することがない。
【０００７】
【特許文献１】特開昭５６−４６６１６号公報
【特許文献２】登録実用新案第３１２３７９５号公報
【発明の開示】
【発明が解決しようとする課題】
【０００８】
特許文献２に開示された電柱支線用かずら巻防止具は、支線装着用筒１２２に設けられた開閉部が押し広げられて電柱支線１に装着される。したがって、電柱支線１に装着された支線装着用筒１２２は、強風が吹いたり、経年劣化などによって弾力が低下したりすることにより、押し広げられて電柱支線１から外れることがある。すると、この電柱支線用かずら巻防止具は、かずらが電柱支線を巻き上がることを防止できない。
【０００９】
そこで、本発明は、蔓性植物が電柱支線の上方まで巻き上がらないようにするだけでなく、極めて簡便に固定し、しかも、外れることがないようにした電柱支線用の蔓性植物巻上がり防止具を提供することを課題とする。
【課題を解決するための手段】
【００１０】
本発明に係る電柱支線用の蔓性植物巻上がり防止具は、電柱と地面との間で斜め向きに架設された電柱支線に取り付けられる電柱支線用の蔓性植物巻上がり防止具であって、電柱支線の下側部分又は中間部分に固定される固定部と、該固定部の上端から鉛直姿勢ないしほぼ鉛直姿勢に上向きに方向転換される誘導部とが、線条体によって連続して設けられていることを特徴としている。
【００１１】
この電柱支線用の蔓性植物巻上がり防止具によれば、線条体によって固定部と誘導部とが連続して設けられる。この線条体の固定部が電柱支線の下側部分又は中間部に固定されることにより、電柱支線用の蔓性植物巻上がり防止具を電柱支線に極めて簡便に取り付け、また、外れないようにすることができる。そして、線条体の誘導部が前記固定部の上端部に連続して設けられ、鉛直姿勢ないしほぼ鉛直姿勢に上向きに方向転換されることにより、電柱支線の下側部又は中間部を巻き上がってきた蔓性植物は、誘導部の方に巻き上がる。すなわち、この電柱支線用の蔓性植物巻上がり防止具は、蔓性植物が天頂方向に伸びる特性を応用するもので、線条体の誘導部が鉛直姿勢ないしほぼ鉛直姿勢と上向きとされることにより、蔓性植物は、線条体の誘導部の方へ巻き上がり、電柱支線の上側部から電柱の上端部の方に巻き上がらないようにすることができる。したがって、誘導部の「ほぼ鉛直姿勢」とは、蔓性植物が天頂方向に伸びる範囲をいう。
【００１２】
また、前記本発明に係る電柱支線用の蔓性植物巻上がり防止具において、前記線条体には、電柱支線から離間する方向に向けられる案内部が前記誘導部の先端に連続して設けられていることが好ましい。この電柱支線用の蔓性植物巻上がり防止具によれば、前記線条体に前記誘導部の先端から連続する案内部が設けられ、この案内部が電柱支線から離間する方向に向けられることにより、誘導部の方に巻き上がった蔓性植物が案内部の方に巻き付いていき、電柱支線の方に戻らないようにすることができる。
【００１３】
また、前記本発明に係る電柱支線用の蔓性植物巻上がり防止具において、前記線条体は、固定部が電柱支線に螺旋状に巻き付けられて固定されていることが好ましい。この電柱支線用の蔓性植物巻上がり防止具によれば、特に撚り線からなる電柱支線が螺旋状の溝を形成したものであると、この溝内に線条体の固定部を嵌めるように螺旋状に巻き付けることにより、電柱支線用の蔓性植物巻上がり防止具が電柱支線からずれ落ちることがないようにすることができる。
【００１４】
また、前記本発明に係る電柱支線用の蔓性植物巻上がり防止具において、前記線条体は、撚り線からなることが好ましい。この電柱支線用の蔓性植物巻上がり防止具によれば、線条体が撚り線からなることにより、特に撚り線からなる電柱支線に螺旋状に巻き付けられた線条体は、両撚り線同士が食い込む状態となって、電柱支線用の蔓性植物巻上がり防止具が電柱支線からずれ落ちないようにすることができる。
【００１５】
また、前記本発明に係る電柱支線用の蔓性植物巻上がり防止具において、前記線条体は、電柱支線に使用されている鋼撚り線巻付きグリップであることが好ましい。この電柱支線用の蔓性植物巻上がり防止具によれば、汎用されている鋼撚り線巻付きグリップを線条体として使用することにより、低廉な電柱支線用の蔓性植物巻上がり防止具を提供することができる。
【発明の効果】
【００１６】
本発明によれば、電柱支線用の蔓性植物巻上がり防止具が固定部と誘導部とを連続して設けた線条体からなり、前記固定部が電柱支線の下側部分又は中間部に固定されることにより、この電柱支線用の蔓性植物巻上がり防止具を極めて簡便に電柱支線に取り付けることができ、作業効率を向上させ、しかも、電柱支線から外れることがないため、メンテナンスの軽減を図ることがきる。また、蔓性植物は、誘導部の方に巻き上がり、電柱支線の上側部から電柱の上端部の方に巻き上がらないため、電線に到達することがなく、地絡による転電事故を防止し、さらに、トランスを覆うことがないため、火災事故を防止することができる。
【発明を実施するための最良の形態】
【００１７】
本発明に係る電柱支線用の蔓性植物巻上がり防止具（以下、「かずら巻上がり防止具」という。）の実施形態について図１ないし図５を参照しながら説明する。このかずら巻上がり防止具は、図１に示すように、上端部に電線２を張った電柱３と地面（図示せず）との間で斜め向きに架設された電柱支線１に取り付けられる。そして、かずら巻上がり防止具は、線条体１０によって固定部１１と誘導部１２が連続して設けられている。
【００１８】
固定部１１は、電柱支線１の下側部分又は中間部分に螺旋状に巻き付けられて固定される。したがって、線条体１０は、図５に示すような電柱支線１に使用されている鋼撚り線巻付きグリップのような撚り線１０ａからなるものを使用することがコスト面からも好ましい。また、電柱支線１も撚り線からなっているため、線条体１０が電柱支線１に螺旋状に巻き付けられるだけで、線条体１０の撚り線１０ａが電柱支線１の撚り線と撚り線との間の溝内に嵌り込んで、両撚り線同士が食い込む状態となり、電柱支線用の蔓性植物巻上がり防止具が電柱支線１からずり落ちないようにすることができる。
【００１９】
ただし、線条体１０は、電柱支線１の撚り線と撚り線との間の溝に嵌り込むような針金を使用してもよい。さらに、線条体１０は、鋼撚り線巻付きグリップであっても、針金であっても、固定部１１を電柱支線１に沿わせ、固定バンド（図示せず）によって固定して、巻き付けるようにしてもよい。いずれにしても、固定部１１は電柱支線１に極めて簡便に固定され、しかも外れないようにすることができる。
【００２０】
そして、誘導部１２は、前記固定部１１の上端から鉛直姿勢ないしほぼ鉛直姿勢に上向きに方向転換される。したがって、線条体１０は、誘導部１２が方向転換するとともに、その姿勢を維持することができるような弾性体が使用される。また、線条体１０は、誘導部１２の先端に、電柱支線１から離間する方向に向けられる案内部１３が連続して設けられることが好ましい。案内部１３は、図２に示すように、水平方向に向けられ、あるいは、図３に示すように斜め上方に向けられ、あるいは、図４に示すように円弧形で下方に向けられるなど、電柱支線１から離間する方向であれば、形状を限定するものでない。
【００２１】
いずれにしても、電柱支線１の下端部を埋め込んでいる地面に生い茂っているかずらＫ（図７参照）は、天頂方向に伸びるという特性から、電柱支線１から誘導部１２の方に巻き上がる。したがって、誘導部の「ほぼ鉛直姿勢」とは、蔓性植物が天頂方向に伸びる範囲をいう。そして、かずらは、電柱支線１から電柱３の上端部に張られた電線２や電柱３の上端部に設置されたトランス（図示せず）に到達しない。
【００２２】
また、かずら巻上がり防止具が図１に示すように案内部１３を設けていない線条体１０であれば、かずらは誘導部１２の上端部から地面の方に垂れ下がる。また、かずら巻上がり防止具が図２ないし図４に示すような案内部１３を設けた線条体１０であれば、かずらは誘導部１２から案内部１３の方に巻き付いていき、案内部１３の先端部から地面の方に垂れ下がる。案内部１３が電柱支線１から離間する方向に向けられているため、かずらが電柱支線１に戻ることはなく、したがって、電柱３の上端部の方に巻き上がらないようにすることができる。
【００２３】
このように、本かずら巻上がり防止具によれば、かずらが線条体１０の誘導部１２の方に巻き上がるようにすることにより、地絡による停電事故やトランスを覆うことによる火災事故を防止することができる。
【００２４】
なお、本発明は、前記実施形態に限定することなく、本発明の特許請求の範囲に記載した技術的事項の範囲内において種々変更することができる。例えば、この電柱支線用の蔓性植物巻上がり防止具は、電柱支線１の複数の箇所に固定してもよい。また、電柱支線用の蔓性植物巻上がり防止具は、かずら以外の蔦などの蔓性植物が電柱３の上端部に巻き上がらないようにすることもできる。
【図面の簡単な説明】
【００２５】
【図１】本発明に係る電柱支線用の蔓性植物巻上がり防止具の一実施形態を示す斜視図である。
【図２】本発明に係る電柱支線用の蔓性植物巻上がり防止具の他の実施形態を示す斜視図である。
【図３】本発明に係る電柱支線用の蔓性植物巻上がり防止具の他の実施形態を示す斜視図である。
【図４】本発明に係る電柱支線用の蔓性植物巻上がり防止具の他の実施形態を示す斜視図である。
【図５】本発明に係る電柱支線用の蔓性植物巻上がり防止具を構成する線条体の一実施形態を示す正面図である。
【図６】従来の電柱支線用の蔓性植物巻上がり防止具の一例を示す斜視図である。
【図７】従来の電柱支線用の蔓性植物巻上がり防止具の他の例を示す斜視図である。
【符号の説明】
【００２６】
１……電柱支線
３……電柱
１０…線条体
１１…固定部
１２…誘導部
１３…案内部
Ｇ……地面
Ｋ……かずら（蔓性植物）
【図１】
2009065774.tif 000003
【図２】
2009065774.tif 000004
【図３】
2009065774.tif 000005
【図４】
2009065774.tif 000006
【図５】
2009065774.tif 000007
【図６】
2009065774.tif 000008
【図７】
2009065774.tif 000009